(57)【要約】【課題】本発明は、アームレストの上面から力が加えられた場合には、力に耐えられる強度があり、かつ、アームレストの側面からの衝撃には容易に変形して折曲するアームレストを提供することを目的とする。【解決手段】ドアトリム５０の車室内側面に突出して設けられたアームレスト１０であって、肘を置く部分に当たる基材１１と、前記基材１１の表面に形成され、前記表面におけるその長手方向に延びる溝１４と、前記溝１４が形成されている面とは反対側となる裏面に形成され、前記裏面からドアトリム側に向かい斜め下方に突出している片部１５と、を備えることを特徴とするアームレスト。【選択図】図４
2011000990.tif 000002
【特許請求の範囲】
【請求項１】
ドアトリムの車室内側面に突出して設けられたアームレストであって、
肘を置く部分に当たる基材と、
前記基材の表面に形成され、前記表面におけるその長手方向に延びる溝と、
前記溝が形成されている面とは反対側となる裏面に形成され、前記裏面から前記ドアトリム側に向かい斜め下方に突出している片部と、
を備えることを特徴とするアームレスト。
【請求項２】
前記基材は、前記ドアトリムとは別体で構成されており、前記片部が、前記ドアトリムに係止されることで、前記基材は、前記ドアトリムに対して上方へ移動することが規制されていることを特徴とする請求項１に記載のアームレスト。
【請求項３】
前記ドアトリムには、前記基材と前記片部との間に配置される突起部が設けられていることを特徴とする請求項１又は請求項２に記載のアームレスト。
【発明の詳細な説明】
【技術分野】
【０００１】
本発明は、アームレストに関する。
【背景技術】
【０００２】
従来、アームレストに側方からの衝撃を吸収するための構造を設けたものとして、例えば、特許文献１及び特許文献２に記載のものなどが知られている。まず、特許文献１のアームレストは、アームレストの折り曲げ部をアームレストの他の部分と比べ肉厚を薄くしたものである。また、特許文献２のアームレストは、ライニング基板の意匠面（上面）とは反対側の面（裏面）に肉抜き溝を設けたものである。これらのものは、いずれも、側突時にアームレスト全体が座屈することにより衝撃を吸収するものである。
【先行技術文献】
【特許文献】
【０００３】
【特許文献１】実開平１−９１６２１号公報
【特許文献２】実開平６−８７０１７号公報
【発明の概要】
【発明が解決しようとする課題】
【０００４】
ところで、特許文献１の場合、アームレストに対して上方から力を加えると、肉厚が薄い部分に力が伝わり、容易に変形して折曲してしまう場合がある。また、特許文献２の場合は、アームレストの上面に力を加えると、ライニング基板の下面に施した溝は、引き伸ばされるように変形して亀裂が入り、溝を起点としてアームレストが容易に変形して折曲してしまう場合がある。
【０００５】
また、上記特許文献１及び上記特許文献２では、側方から衝撃が加えると、アームレストが変形する方向が一定でないため、例えば、アームレストが裏面方向に変形した場合には、上面方向に変形する場合と比べて肘を置く部分の板厚分だけ衝撃吸収ストロークが短くなる。そのため、裏面方向に変形した場合には、上面方向に変形した場合と比べて、衝撃吸収性能が低下するという問題がある。
【０００６】
本発明は上記事情に鑑みてなされたものであって、アームレストの上面から力が加えられた場合には、力に耐えられる強度があり、アームレストの側面からの衝撃には容易に変形して折曲して、良好な衝撃吸収性能をもつアームレストを提供することを目的とする。
【課題を解決するための手段】
【０００７】
上記課題を解決するために、本発明のアームレストは、ドアトリムの車室内側面に突出して設けられたアームレストであって、肘を置く部分に当たる基材と、前記基材の表面に形成され、前記表面におけるその長手方向に延びる溝と、前記溝が形成されている面とは反対側となる裏面に形成され、前記裏面から前記ドアトリム側に向かい斜め下方に突出している片部と、を備えることを特徴とする。
【０００８】
この構成によれば、基材の表面に力をかけると、基材の表面には圧縮される方向に力（圧縮力）がはたらき、表面を縮ませ、裏面を伸ばそうとする。そして、圧縮力がかかった場合でも、表面に溝が形成されているから、圧縮力によって溝が閉じる方向に作用し、基材の表面にかかる力は吸収される。このため、基材の表面を押されたときに、基材の表面を起点として亀裂が生じにくくなり、基材の表面が押されたときの基材の強度は、十分に確保できる。
【０００９】
また、片部が、基材の裏面に形成されることにより、基材の側面に対して力が加えられると、片部は、基材の裏面側から基材を支えようとするので、基材が折曲するときに、基材は、基材の上面方向に向かって折曲する。この結果、側突時にアームレストにかかる圧縮力を基材の上面方向に逃がすことができる。これにより、基材の折曲する際に衝撃吸収ストロークをかせぐことができ、十分に衝撃を吸収することができる。
【００１０】
本発明の実施態様としては、以下の態様が好ましい。
前記基材は、前記ドアトリムとは別体で構成されており、前記片部が、前記ドアトリムに係止されることで、前記基材は、前記ドアトリムに対して上方へ移動することが規制されていることを特徴とすることが好ましい。
上記構成によれば、片部をドアトリムに係止するようにしたから、アームレストをドアトリムへ取付けた際にドアトリムに対して基材が浮き上がることを規制できる。
【００１１】
前記ドアトリムには、前記基材と前記片部との間に配置される突起部が設けられていることが好ましい。
上記構成によれば、基材に基材の表面を押し付ける方向に力がかかると、突起部は、基材と当接することにより、基材の沈み込みを防止することができる。また、基材に基材の裏面から浮き上がる方向に力がかかると、突起部は、片部と当接することにより、基材の浮き上がりを防止することができる。
【発明の効果】
【００１２】
本発明によれば、アームレストの上面から力が加えられた場合には、力に耐えられる強度があり、アームレストの側面からの衝撃には容易に変形して折曲して、良好な衝撃吸収性能をもつアームレストを提供することが可能になる。
【図面の簡単な説明】
【００１３】
【図１】本発明の一実施形態を示す車両用ドアトリムの斜視図である。
【図２】基材の表面から見た斜視図である。
【図３】基材の裏面から見た斜視図である。
【図４】図１中のＡ−Ａ線断面図である。
【発明を実施するための形態】
【００１４】
本発明の一実施形態について図面を参照して説明する。図１に示すように、車両用ドアトリム５０は、合成樹脂等によって板状に形成されたドアトリム本体５１を備えている。ドアトリム本体５１の車室内側には、合成樹脂等によって車室内側に膨出するように形成されたアームレスト１０が設けられている。この車室内側に膨出したアームレスト１０は、図示しない車両用シートに着座した乗員の肘掛として使用される。
【００１５】
次に、アームレスト１０の構造について説明する。図４に示すように、このアームレスト１０は、肘を置く部分にあたるベース部１０Ａを有している。このベース部１０Ａは、基材１１、基材１１の表面を覆う表皮１３、及び基材１１と表皮１３との間に配される緩衝材１２から構成されている。基材１１は、ドアトリム本体５１とは別体で構成されている。基材１１は、ドアトリム本体５１に設けられたアームレスト取付孔１７に取り付けられる。そして、基材１１の周縁部は、アームレスト取付孔１７の開口縁部に接触している。
【００１６】
基材１１の表面（図４におけるアームレスト１０の上面となる部分）の中央部には、ウレタン等の発泡体からなる緩衝材１２が配されている。さらに、緩衝材１２を覆うように、意匠性を高めるための表皮１３が被せられている。表皮１３としては、合成樹脂製のシート、織布、不織布、皮革等を用いることが可能である。
【００１７】
基材１１は、熱可塑性樹脂からなる。図２に示すように、基材１１は、車両前後方向に長く延びた形状をしている。基材１１の表面には、Ｖ字形状の溝１４が、基材１１の中央を長手方向に向かって延びるように形成されている。なお、溝１４が形成されている面とは反対側となる面を、基材１１の裏面という。
【００１８】
溝１４によって、基材１１は側突時に折れ曲がるようになっており、側突時の衝撃を吸収できるようになっている。ここで、基材１１の折れ曲がり方向としては、表面側と裏面側とが考えられる。しかし、裏面側に折れ曲がる場合は、基材１１自体がアームレスト取付孔１７の間に挟まって、衝撃吸収ストロークを表面側へ折れた場合ほど稼ぐことができず、衝撃吸収性能が良くない。そこで、表面側にのみ折り曲げることができるように、本実施形態では、片部１５を設けている。
【００１９】
図３に示すように、複数個の片部１５（例えば、３つの片部１５）は、基材１１の裏面に形成されている。この片部１５は、基材１１の裏面からドアトリム本体５１側に向かって斜め下方に突出している。片部１５と基材１１との連結部１５Ａは、溝１４よりもドアトリム本体５１側に配置されている。そして、基材１１をドアトリム本体５１に取り付けた状態では、図４に示すように、片部１５は、ドアトリム本体５１側へ行くにしたがって、下降している。
【００２０】
一方、ドアトリム本体５１には、突起部１６が車室内側に突出して設けられている。また、片部１５の先端は、突起部１６の下側と接触可能に配置されている。このようにすると、基材１１が浮き上がる向きに力がかかった場合に、片部１５が突起部１６により係止されるため、基材１１の浮き上がりを防止することができる。
【００２１】
また、基材１１のドアトリム本体５１側の端部１１Ａは、段差を有している。そして、端部１１Ａは、突起部１６の上側と接触可能に配置されている。このようにすると、基材１１が沈み込む向きに力がかかった場合に、端部１１Ａが突起部１６の上側により係止されるため、基材１１の沈み込みを防止することができる。
【００２２】
本実施形態では以上のような構成であって、続いてその作用を説明する。作用の説明は、アームレスト１０が上面から力を受ける場合と、アームレスト１０が側面から衝撃を受ける場合とに分けて行う。まず、アームレスト１０の上面に力を加えると、突起部１６は、基材１１に当接する。そのため、基材１１は突起部１６により係止される。それゆえ、基材１１の沈み込みを防止することができる。
【００２３】
また、アームレスト１０の上面に力を加えると、基材１１の表面には圧縮される方向に力（圧縮力）がはたらき、表面を縮ませ、裏面を伸ばそうとする。そして、基材１１の表面に圧縮力がかかった場合でも、基材１１の表面に溝１４を形成したから、圧縮力を小さくすることができる。
【００２４】
なぜならば、圧縮力によって溝１４は閉じる方向に作用し、基材１１の表面にかかる衝撃を吸収することができるからである。このため、基材１１の表面に衝撃を加えられるときに、基材１１の表面を起点として亀裂が生じにくくなる。そのため、基材１１の表面が押されたときにおける基材１１の強度を、十分に確保できる。
【００２５】
次に、アームレスト１０の側面から衝撃を加える（側突時）と、片部１５が、基材１１の裏面側から基材１１を支えようとする。そして、基材１１が衝撃に耐えられなくなると、溝１４を起点として変形して折曲する。
【００２６】
このとき、基材１１は裏面から片部１５によって支えられているため、基材１１は裏面側に向かって撓むことができず、基材１１は表面に向かって撓むこととなる。そのため、基材１１の折曲する方向を表面方向のみに制御することができる。これにより、基材１１が折曲する際に衝撃吸収するストロークをかせぐことができ、十分に衝撃を吸収することができる。
【００２７】
また、側突時以外の通常時においても、基材１１の裏面から基材１１を浮き上がらせる方向に力がかかった場合には、片部１５は突起部１６の下側に当接する。そのため、片部１５は突起部１６により係止される。それゆえ、基材１１が浮き上がることを防止できる。
【００２８】
以上より、Ｖ字形状の溝１４を基材１１の表面に形成したから、アームレスト１０の上方からの力が加えられた場合に、力に耐えられる強度を備えることができる。また、片部１５を基材１１の裏面に形成したから、アームレスト１０の側方からの衝撃には基材１１の表面に向かってのみ潰れるように制御することができる。
【００２９】
また、片部１５をドアトリム５０の突起部１６に係止させるようにしたから、基材１１の浮き上がりを防止できる。さらに、突起部１６によって、基材１１の沈み込みを防止することもできる。
【００３０】
＜他の実施形態＞
本発明は上記記述及び図面によって説明した実施形態に限定されるものではなく、例えば次のような実施形態も本発明の技術的範囲に含まれる。
（１）上記実施形態では、片部１５を突起部１６に係止させるようにしていたが、本発明はこのような態様に制限されるものではない。本発明は、例えば片部１５の先端をドアトリム本体５１に直接接触させるようにする構造も可能である。
【００３１】
（２）上記実施形態では、突起部１６が基材１１と片部１５との間に配置されていたが、本発明はこのような態様に制限されるものではない。本発明は、例えば、突起部１６がない構造も可能である。
（３）上記実施形態では、溝１４をＶ字形状にしていたが、本発明はこのような態様に制限されるものではない。本発明は、例えば、Ｕ字形状の溝でも可能である。
【００３２】
（４）上記実施形態では、基材１１がドアトリム本体５１と別体で形成されていたが、本発明はこのような態様に制限されるものではない。本発明は、例えば、基材１１とドアトリム本体５１とが一体であってもよい。
（５）上記実施形態では、片部１５が突起部１６に係止される構造であったが、本発明はこのような態様に制限されるものではない。本発明は、例えば、予めドアトリム本体５１に孔を開けておき、その孔に片部１５の先端を差し込んで係止する構成でもよい。
【符号の説明】
【００３３】
１０…アームレスト
１１…基材
１４…溝
１５…片部
１６…突起部
５０…ドアトリム
【図１】
2011000990.tif 000003
【図２】
2011000990.tif 000004
【図３】
2011000990.tif 000005
【図４】
2011000990.tif 000006